(57)【要約】【課題】筒状部内の構造を複雑化することなく、水はねが少なく洗浄力も高い良質な泡沫水を流出させる泡沫効果を高めた泡沫装置を提供することを課題とする。【解決手段】本考案は、一端に水を流入する流入口３が形成されると共に他端に水を流出させる流出口７が形成される筒状体２と、筒状体２内周側に設けられて流入側から流入される水を受止めて減圧する減圧部３３と、該減圧された水と筒状体２内周側で空気と混合する混合部４１と、前記流出側に取付けられた流出側網状体８とを備える。【選択図】図３
0003145959.tif 000002
【実用新案登録請求の範囲】
【請求項１】
一端に水を流入する流入口（３）が形成されると共に他端に水を流出させる流出口（７）が形成される筒状体（２）と、筒状体（２）内周側に設けられて流入側から流入される水を受止めて減圧する減圧部（３３）と、該減圧された水と筒状体（２）内周側で空気と混合する混合部（４１）と、前記流出側に取付けられた流出側網状体（８）とを備えた泡沫装置において、前記流入側に流入側網状体（４）を設けた泡沫装置。
【請求項２】
流入側網状体（４）又は流出側網状体（８）に水を泡沫させるハニカム形状の多数の孔（２１）を穿設したプレートからなる請求項１の泡沫装置。
【請求項３】
流入側網状体（４）を上流側に突出した円錐状に形成してなる請求項１又は２の泡沫装置。
【請求項４】
筒状体（２）と流出側網状体（８）とを一体に成型してなる請求項１，２又は３の泡沫装置。
【請求項５】
減圧された水を内周面側に放射状に分流させる流水溝（３４）を形成し、減圧部（３３）側から混合部（４１）に減圧された水を通水させる通水孔（３９）を筒状体（２）内面側に設けてなる請求項１，２，３又４の泡沫装置。
【請求項６】
流水溝（３４）が、上流側半部の上段溝（３６）と、下流側半部で前記上段溝（３６）からの水をさらに細かく分流する下段溝（３７）とからなる請求項５の泡沫装置。
【請求項７】
減圧部（３３）、流水溝（３４）及び通水孔（３９）が形成される形成体（６）が一体的に成型される請求項５又は６の泡沫装置。
【請求項８】
形成体（６）から下流側面に突出した下流側突起片（３１）を形成体（６）と一体に成型した請求項７の泡沫装置。
【請求項９】
空気を筒状体（２）内に導入する導入口（４２）を通水孔（３９）の混合部（４１）側端に近接させて設けた請求項５，６，７又は８の泡沫装置。
【請求項１０】
流入側網状体（４）から下流側面に突出した上流側突起片（２２）を流入側網状体（４）と一体に成型した請求項１，２，３，４，５，６，７，８又は９の泡沫装置。
【考案の詳細な説明】
【技術分野】
【０００１】
この考案は、泡沫装置に関する。
【背景技術】
【０００２】
一端に水を流入する流入口が形成されると共に他端に水を流出させる流出口が形成される筒状体と、筒状体内周側に設けられて流入側から流入される水を受止めて減圧する減圧部と、該減圧された水と筒状体内周側で空気と混合する混合部と、前記流出側に取付けられた流出側網状体とを備え、流出口から泡沫水を流出させる泡沫装置が公知になっている（例えば、特許文献１）。
【特許文献１】特開２００６−２２５９８２号広報
【考案の開示】
【考案が解決しようとする課題】
【０００３】
上記文献の泡沫装置によって、一定以上の泡沫効果が期待できるが、水はねがより少なく洗浄力もより高い良質な泡沫水を流出させるためには、筒状部内に配置する部材の構造を複雑にする必要があり、課題が残る。
本考案は、上記課題を解決し、筒状部内の構造を複雑化することなく泡沫効果を高めた泡沫装置を提供することを目的とする。
【課題を解決するための手段】
【０００４】
上記課題を解決するための本考案の泡沫装置は、第１に、一端に水を流入する流入口３が形成されると共に他端に水を流出させる流出口７が形成される筒状体２と、筒状体２内周側に設けられて流入側から流入される水を受止めて減圧する減圧部３３と、該減圧された水と筒状体２内周側で空気と混合する混合部４１と、前記流出側に取付けられた流出側網状体８とを備えた泡沫装置において、前記流入側に流入側網状体４を設けたことを特徴としている。
【０００５】
第２に、流入側網状体４又は流出側網状体８に水を泡沫させるハニカム形状の多数の孔２１を穿設したプレートからなることを特徴としている。
【０００６】
第３に、流入側網状体４を上流側に突出した円錐状に形成してなることを特徴としている。
【０００７】
第４に、筒状体２と流出側網状体８とを一体に成型してなることを特徴としている。
【０００８】
第５に、減圧された水を内周面側に放射状に分流させる流水溝３４を形成し、減圧部３３側から混合部４１に減圧された水を通水させる通水孔３９を筒状体２内面側に設けてなることを特徴としている。
【０００９】
第６に、流水溝３４が、上流側半部の上段溝３６と、下流側半部で前記上段溝３６からの水をさらに細かく分流する下段溝３７とからなることを特徴としている。
【００１０】
第７に、減圧部３３、流水溝３４及び通水孔３９が形成される形成体６が一体的に成型されることを特徴としている。
【００１１】
第８に、形成体６から下流側面に突出した下流側突起片３１を形成体６と一体に成型したことを特徴としている。
【００１２】
第９に、空気を筒状体２内に導入する導入口４２を通水孔３９の混合部４１側端に近接させて設けたことを特徴としている。
【００１３】
第１０に、流入側網状体４から下流側面に突出した上流側突起片２２を流入側網状体４と一体に成型したことを特徴としている。
【考案の効果】
【００１４】
以上のように構成される本考案の泡沫装置によれば、前記流入側に流入側網状体を設けことにより、筒状体内に配する部材を複雑化させること無く、さらに良質な泡沫水を得ることができるという効果がある。
【００１５】
また、流入側網状体と流出側網状体とにハニカム形状の孔を穿設することにより、より良質な泡沫水を得ることが可能になるという効果がある。
【００１６】
また、流入側網状体を上流側に突出した円錐状に形成することにより、流入水を筒状部軸心から筒状体内周面側に向かって案内するという効果がある。
【００１７】
さらに、筒状体と網状体とを一体に成型することにより、部品点数を減少させて構成を簡略化することができるという効果がある。
【００１８】
また、減圧された水を、筒状部軸心から内周面に向かって、流水溝により細かく分流することにより、混合部でのエアとの混合が効率的に行われ、さらに良質な泡沫水を得ることが可能になるという効果がある。
【００１９】
また、減圧部、流水溝及び通水孔が形成される形成体を一体的に成型することにより、部品数を少なくして構造をシンプルにすることができるという効果がある。
【００２０】
さらに、空気を筒状体内に導入する導入口を通水孔の混合部側端に近接させて設けることにより、混合部で効率の良い混合が行われるため、泡沫効果がさらに高まるという効果がある。
【００２１】
さらに、形成体から下流側面に突出した下流側突起片を流出側網状体と一体に成型することにより、通水孔から混合部に向けて通水した水が筒状体内周側に広がらないようにするという効果がある。
【考案を実施するための最良の形態】
【００２２】
以下、図示する例に基づき考案の実施形態を説明する。
図１は、本考案を適用した泡沫装置の斜視図であり、図２は、本泡沫装置の内部の構造を示す分解斜視図であり、図３は、本泡沫装置の側断面図であり、図４は、本泡沫装置の上流側の構成を示す平面図であり、図５は、本泡沫装置の上流側の構成を示す底面図であり、図６は、泡沫装置の組立時の内部構造を示す斜視断面図である。
【００２３】
本泡沫装置は、給水栓又はシャワーヘッド等の吐水口先端部に取付けられ、両端が開放された上下方向の筒状体２と、筒状体２の上端の開口部（流入口）３を覆う流入側網状体４と、筒状体２内（内周側）に収容される形成体６と、筒状体２の下端の開口部（流出口）７を覆う流出側網状体８と、を備え、流入側網状体４を通過して流入口３から筒状体２内に流入される水を減圧し空気と混合させて泡状の水を流出口７から筒状体２外に吐出（流出）させる。
【００２４】
上記筒状体２は、上下方向が軸心方向になる円筒形状に成形されている。筒状体２の内周面には筒状体２上流側（上側）の内径に対して下流側の内径が小さくなるように環状の段部１６が成形されている他、筒状体２内周における段部１６から下流側は流出口７に向かって次第に内径が小さくなるように傾斜形成されている。
【００２５】
段部１６には等間隔で上面がフラットな突部（凸部）１７が内方に向かって一体的に突設されている。筒状体２外周の最上流側端部には外方突出する環状の突部１７が一体的に成形されている一方で、筒状体２内周の最上流側端部には内方突出する環状の係止部１８が一体的に設けられている。
【００２６】
上記流入側網状体４は、上流側に突出する円錐状に成形され、周縁端部には水平な環状の鍔部１９が一体的に外方に突出形成されている。流入側網状体４の中心以外箇所には満遍無く六角形状の孔２１が多数穿設されており、全体としてハニカム形状（蜂の巣状）に成形されている。流入側網状体４の中心部からは、下流側に向かって棒状（プレート状）の上流側突起片２２が一体的に突出形成されている。吐水口先端部からの水は、この流入側網状体４を通過して、流入口３から筒状体２内に流入される。
【００２７】
上記形成体６は、水平な肉厚円盤状の形成体６本体の中心部から下流側に上下方向の下流側突出片３１を一体的に突出形成することによりなる。形成体６本体の外周の上半部には、外方突出するフランジ部３２が一体的に成形されている。このフランジ部３２を筒状体２の複数の突部１７上面に載置する。この際、形成体６のフランジ部３２の周面が筒状体２の内周に当接し、形成体６本体の外周面の下半部が突部１７の側面と当接する状態になり、形成体６が筒状体２に対して位置決めされる。
【００２８】
この際、形成体６のフランジ部３２の径は、流入側網状体４の鍔部１９の径と略同一であり、該フランジ部３２上面に形状を沿わせて鍔部１９を載置した状態で、筒状体２の流入口３から形成体６及び流入側網状体４を入れ込むと、係止部１９と突部１７との間に、上記フランジ部３２及び鍔部１９が嵌め込まれ、形成体６及び流入側網状体４が筒状体２に嵌合固定される。
【００２９】
形成体６上面の中心部には流入してきた水を受止めて減圧する面状の減圧部３３が形成されている他、形成体６上面には減圧部３３から筒状体２の内周面側に水平且つ放射状に延びる流水溝３４が穿設されている。この流水溝３４は、筒状体２の軸心に近い側（上流側）半部の上段溝３６と、筒状体２の内周面に近い側（下流側）半部を占めて上段溝３６よりも一段低い下段溝３７とにより構成されている。
【００３０】
上段溝３６は所定間隔で放射状に複数形成され、下段溝３７も所定間隔で放射状に複数形成されるが、下段溝３７は上段溝３６に対して流路幅が狭く、下段溝３７相互の間隔も狭く、個数も多い。そして、複数の下段溝３７を全て連接するとともに上段溝３６と対応する下段溝３７とを連接するように、環状の周溝３８が形成体６上面に凹設されている。すなわち、減圧部３３で減圧された水は、上段溝３６で分流され、下段溝３７でさらに細かく分流される。
【００３１】
各下段溝３７の最下流側端は、下面に至る上下方向の通水孔３９と連接しており、下段溝３７の水が形成体６の下面側に導かれる。この通水孔３９からの水がエア（空気）と混合され、流出口７から流出していく。すなわち、形成体６と流出口７との間に水とエアを混合する混合室（混合部）４１が形成される。
【００３２】
筒状体２の外のエアは、形成体６本体外周と筒状体２内周との間に形成される隙間（図示しない）から入り込み、形成体６本体の外周下端部と筒状体２内周との間に形成され且つ通水孔３９の混合部４１側端に近接した導入口４２から混合部４１に導入される。通水孔３９の混合部４１側端と導入口４２とが近接しているため、効率の良い混合が行われる。加えて、通水孔３９からも水の流水作用等によってエアが導入され、混合部４１で該水と混合される。
【００３３】
上記流出側網状体８は、筒状体２の流出口７を覆うように、筒状体２と一体成形されている。この流出側網状体８は、全体に亘り満遍なく多数の六角形の孔２１が穿設されたハニカム形状（蜂の巣状）のフラットな円形プレート状部材である。なお、孔２１の大きさは、流入側網状体４に比べて大きくなっている。
【００３４】
混合部４１のエアを含んだ水は、この流出側網状体８を通過して、細かい泡を含んだ良質な泡沫水となって本泡沫装置から吐出される。なお、下流側突起片３１は、通水孔３９から混合部４１に導入された水の少なくとも一部を筒状体２の軸心側にガイドするために機能している。
【図面の簡単な説明】
【００３５】
【図１】本考案を適用した泡沫装置の斜視図である。
【図２】本泡沫装置の内部の構造を示す分解斜視図である。
【図３】本泡沫装置の側断面図である。
【図４】本泡沫装置の上流側の構成を示す平面図である。
【図５】本泡沫装置の上流側の構成を示す底面図である。
【図６】泡沫装置の組立時の内部構造を示す斜視断面図である。
【符号の説明】
【００３６】
２  筒状体
３  流入口
４  流入側網状体
６  形成体
７  流出口
８  流出側網状体
２１  孔
２２  上流側突起片
３１  下流側突起片
３３  減圧部
３４  流水溝
３６  上段溝
３７  下段溝
３９  通水孔
４１  混合部
４２  導入口
【図１】
0003145959.tif 000003
【図２】
0003145959.tif 000004
【図３】
0003145959.tif 000005
【図４】
0003145959.tif 000006
【図５】
0003145959.tif 000007
【図６】
0003145959.tif 000008